(57)【要約】【課題】キャブのウインドシールドにウェザーストリップを装着するに際して、ウインドシールドガラスの枠部分の広がりを可及的に小さくして、オペレータの視界を広くするとともに、ウェザーストリップを装着するフレームに塵埃や土泥が溜まることなく構造を簡単にしてコストダウンを図る。【解決手段】ウインドシールドガラス１１の内側面下端部に沿って下面が開口された窓枠フレームの下辺部１２ａを固着する。ウェザーストリップ２０の一方の面に主リップ２１を設け、他方の面に取付用リブ２２を設けるとともに該取付用リブ２２から所定間隔を有してガラス抑え用リップ２３を設ける。ウェザーストリップの取付用リブ２２を窓枠フレームの下辺部１２ａの溝内に挿入するとともに、取付用リブ２２と前記ガラス抑え用リップ２３との間で前記ウインドシールドガラス１１の下端部を挟持するようにウェザーストリップ２０を装着する。【選択図】  図２
2004168159.tif 000002
【特許請求の範囲】
【請求項１】
キャブの天井部にスライドして収納されることにより開閉可能に形成された上部ウインドシールドと、該上部ウインドシールドの下部に装着された下部ウインドシールドとを備えた建設機械に於いて、前記上部ウインドシールドには、ウインドシールドガラスの内側面下端部に沿って下面が開口された溝型フレームを固着するとともにこの溝型フレームにウェザーストリップを装着し、前記上部ウインドシールドの閉鎖時に該ウェザーストリップの主リップが下部ウインドシールドの上端部に圧接して、上部ウインドシールドと下部ウインドシールドとの間をシールするように構成されたことを特徴とする建設機械に於けるキャブのウインドシールド。
【請求項２】
上記ウェザーストリップには、その一方の面に主リップが設けられ、他方の面に取付用リブを設けるとともに該取付用リブから所定間隔を有してガラス抑え用リップを設けてあり、該取付用リブを上記溝型フレームへ挿入してウェザーストリップを装着したときに、該取付用リブとガラス抑え用リップとの間で前記上部ウインドシールドガラスの下端部を挟持するように構成された請求項１記載の建設機械に於けるキャブのウインドシールド。
【請求項３】
上記ウェザーストリップの取付用リブには、ウインドシールドガラス側の面とその反対側の面に夫々凹凸部を設け、該取付用リブを上記溝型フレームへ挿入してウェザーストリップを装着したときに、この凹凸部が上記溝型フレームの内側面に圧縮状態で接触するように構成された請求項１または２記載の建設機械に於けるキャブのウインドシールド。
【請求項４】
上記ウェザーストリップの取付用リブには、ウインドシールドガラス側の面とその反対側の面に夫々ウインドシールドガラスの下端部に沿って溝部を設け、一方、上記溝型フレームの下面開口部に夫々内側へ突出した折曲部を設け、上記ウェザーストリップの取付用リブを上記溝型フレームへ挿入してウェザーストリップを装着したときに、前記取付用リブの溝部へ前記溝型フレームの折曲部が嵌入するように構成された請求項１または２記載の建設機械に於けるキャブのウインドシールド。
【発明の詳細な説明】
【０００１】
【発明の属する技術分野】
本発明は建設機械に於けるキャブのウインドシールドに関するものであり、特に、油圧ショベル等のキャブの前面に開閉可能に装着されたウインドシールドに関するものである。
【０００２】
【従来の技術及び発明が解決しようとする課題】
従来、油圧ショベル等の建設機械に於けるキャブは、一般的に図４に示すように、キャブ１の一側面にガラス窓付きドア２が開閉可能に蝶着され、キャブ１の前面に上部ウインドシールド３が装着されている。該上部ウインドシールド３の両側にはローラ４，４…を取り付けてあり、このローラ４，４…がフロントピラー５に付設したガイドレール（図示せず）内を転動しながら、該上部ウインドシールド３がキャブ１の天井部６にスライドして収納されることにより、該上部ウインドシールド３が開閉可能となっている。
【０００３】
また、該上部ウインドシールド３の下部に下部ウインドシールド７が装着されており、該上部ウインドシールド３の閉鎖時に、該上部ウインドシールド３の下端部に装着されたウェザーストリップ８が下部ウインドシールド７の上端部に圧接して、上部ウインドシールド３と下部ウインドシールド７との間をシールするように構成されている。
【０００４】
従来の此種ウインドシールドに装着されるウェザーストリップは、図５に示すように、箱型のフレーム（窓枠）９の下面に溝型金具１０を下向きに溶接等にて固着しておき、該フレーム９の側面をウインドシールドガラス１１の内側面下端部に接着する。そして、ウェザーストリップ８の取付リブ８ａを前記溝型金具１０に嵌合するとともに、取付リブ８ａと所定距離だけ離間して設けられているガラス抑え用リップ８ｂを前記ウインドシールドガラス１１の外側面下端部に当接させる。
【０００５】
しかし、フレーム９の下面に別部材である溝型金具１０を固着するため、構造が複雑となり製作コストも高くなる。また、フレーム９の接着面積ｅを確保するために、ウェザーストリップ８の取付部分全体の上下方向の幅が大きくなり、前方視界が狭くなるという不具合があった。
【０００６】
これに対して、ウインドシールドガラスと窓枠とを抑え金具を用いて相互に着脱自在に固定し、該抑え金具の下面にウェザーストリップを装着することにより、ウインドシールドガラスの枠部分の広がりを可及的に小さくして、オペレータの視界を広くしようとしたウインドシールドも知られている。例えば、上部ガラス窓の上下両縁部に弾性シール、窓枠及びガラス抑え金具を介してシールゴム抑え金具に保持される中空シールゴム（ウェザーストリップ）から構成され、上向きに開口した窓枠はナットを固着したガラス抑え金具にボルトにより螺着されている（特許文献１参照）。
【０００７】
【特許文献１】
特開平８−１８９１８２号公報（第３頁段落番号００１１及び図２）
しかし、上記公報記載のウインドシールドは上部ガラス窓の枠部分の広がりを可及的に小さくして、オペレータの視界を広くしてはいるが、ボルトを螺着するために窓枠の上面が開口しており、この開口部分に塵埃や土泥が溜まるという不具合がある。
【０００８】
そこで、キャブのウインドシールドにウェザーストリップを装着するに際して、ウインドシールドガラスの枠部分の広がりを可及的に小さくして、オペレータの視界を広くするとともに、ウェザーストリップを装着するフレームに塵埃や土泥が溜まることなく構造を簡単にしてコストダウンを図るために解決すべき技術的課題が生じてくるのであり、本発明はこの課題を解決することを目的とする。
【０００９】
【課題を解決するための手段】
本発明は上記目的を達成するために提案されたものであり、キャブの天井部にスライドして収納されることにより開閉可能に形成された上部ウインドシールドと、該上部ウインドシールドの下部に装着された下部ウインドシールドとを備えた建設機械に於いて、前記上部ウインドシールドには、ウインドシールドガラスの内側面下端部に沿って下面が開口された溝型フレームを固着するとともにこの溝型フレームにウェザーストリップを装着し、前記上部ウインドシールドの閉鎖時に該ウェザーストリップの主リップが下部ウインドシールドの上端部に圧接して、上部ウインドシールドと下部ウインドシールドとの間をシールするように構成された建設機械に於けるキャブのウインドシールド、
及び、上記ウェザーストリップには、その一方の面に主リップが設けられ、他方の面に取付用リブを設けるとともに該取付用リブから所定間隔を有してガラス抑え用リップを設けてあり、該取付用リブを上記溝型フレームへ挿入してウェザーストリップを装着したときに、該取付用リブとガラス抑え用リップとの間で前記上部ウインドシールドガラスの下端部を挟持するように構成された建設機械に於けるキャブのウインドシールド、
及び、上記ウェザーストリップの取付用リブには、ウインドシールドガラス側の面とその反対側の面に夫々凹凸部を設け、該取付用リブを上記溝型フレームへ挿入してウェザーストリップを装着したときに、この凹凸部が上記溝型フレームの内側面に圧縮状態で接触するように構成された建設機械に於けるキャブのウインドシールド、
及び、上記ウェザーストリップの取付用リブには、ウインドシールドガラス側の面とその反対側の面に夫々ウインドシールドガラスの下端部に沿って溝部を設け、一方、上記溝型フレームの下面開口部に夫々内側へ突出した折曲部を設け、上記ウェザーストリップの取付用リブを上記溝型フレームへ挿入してウェザーストリップを装着したときに、前記取付用リブの溝部へ前記溝型フレームの折曲部が嵌入するように構成された建設機械に於けるキャブのウインドシールドを提供するものである。
【００１０】
【発明の実施の形態】
以下、本発明の一実施の形態を図１乃至図３に従って詳述する。尚、図４に示したキャブ１の全体の構成は共通であるので、キャブ１の重複説明は省略するものとする。図１は上部ウインドシールド３の正面図であり、ウインドシールドガラス１１の内側面（図面の奥側）に窓枠フレーム１２が取り付けられている。また、該上部ウインドシールド３の両側にローラ４，４…を取り付けてあり、該上部ウインドシールド３の下端部にはウェザーストリップ２０が装着されている。
【００１１】
図２は前記ウェザーストリップ２０の取付部分の一例を示し、該ウェザーストリップ２０は中空のシールゴムであり、その一方の面（図中下側の面）に主リップ２１が設けられ、他方の面に取付用リブ２２を設けるとともに該取付用リブ２２から所定間隔を有してガラス抑え用リップ２３を設けてある。該取付用リブ２２には、ウインドシールドガラス１１側（図中左側）の面とその反対側の面に夫々凹凸部２４，２４…を設けてある。
【００１２】
一方、前記ウインドシールドガラス１１の内側面下端部には、窓枠フレーム１２の下辺部１２ａが固着されている。該窓枠フレームの下辺部１２ａは、ウインドシールドガラス１１の下端部に沿って下面が開口された溝型フレームに形成され、前記ウインドシールドガラス１１の下端部と窓枠フレームの下辺部１２ａの下端部とが略同一面となるように、該窓枠フレームの下辺部１２ａの一側面が前記ウインドシールドガラス１１の内側面下端部に接着剤にて固定されている。
【００１３】
そして、前記ウェザーストリップの取付用リブ２２を前記窓枠フレームの下辺部１２ａの溝内に挿入するとともに、該取付用リブ２２と前記ガラス抑え用リップ２３との間で前記ウインドシールドガラス１１の下端部を挟持するようにウェザーストリップ２０を装着する。
【００１４】
而して、前記ウェザーストリップの取付用リブ２２に設けた凹凸部２４，２４…が、前記窓枠フレームの下辺部１２ａの内側面に圧縮状態で接触するので、前記取付用リブ２２が窓枠フレームの下辺部１２ａに密嵌して、前記ウェザーストリップ２０をウインドシールドガラス１１の下端部に確実に装着することができる。
【００１５】
このように、前記窓枠フレームの下辺部１２ａは、従来型のように上面が開口されていないので、塵埃や土泥が溜まるという不具合はない。また、溝型金具等の別部材を使用せず、窓枠フレームの下辺部１２ａに直接ウェザーストリップ２０を装着して固定するので、構造が簡単であり且つウェザーストリップ２０の取付部分全体の上下方向の幅を小さくすることができる。
【００１６】
図３は他の実施の形態を示し、ウェザーストリップ２０ａは中空のシールゴムであり、その一方の面（図中下側の面）に主リップ２１ａが設けられ、他方の面に取付用リブ２２ａを設けるとともに該取付用リブ２２ａから所定間隔を有してガラス抑え用リップ２３ａを設けてある。該取付用リブ２２ａには、ウインドシールドガラス１１側（図中左側）の面とその反対側の面に夫々ウインドシールドガラス１１の下端部に沿って溝部２５，２５を設けてある。
【００１７】
一方、前記ウインドシールドガラス１１の内側面下端部には、窓枠フレーム１２の下辺部１２ｂが固着されている。該窓枠フレームの下辺部１２ｂは、ウインドシールドガラス１１の下端部に沿って下面が開口された溝型フレームに形成され、下面開口部には夫々内側へ突出した折曲部１３，１３が設けられており、前記ウインドシールドガラス１１の下端部と窓枠フレームの下辺部１２ｂの折曲部１３とが略同一面となるように、該窓枠フレームの下辺部１２ｂの一側面が前記ウインドシールドガラス１１の内側面下端部に接着剤にて固定されている。
【００１８】
そして、前記ウェザーストリップの取付用リブ２２ａに設けた溝部２５，２５を前記窓枠フレームの下辺部１２ｂの折曲部１３，１３に嵌入させながら、前記ウェザーストリップの取付用リブ２２ａを窓枠フレームの下辺部１２ｂの溝内に挿入するとともに、該取付用リブ２２ａと前記ガラス抑え用リップ２３ａとの間で前記ウインドシールドガラス１１の下端部を挟持するようにウェザーストリップ２０ａを装着する。
【００１９】
而して、前記ウェザーストリップの取付用リブ２２ａに設けた溝部２５が、前記窓枠フレームの下辺部１２ｂの折曲部１３に嵌入されるので、前記取付用リブ２２ａが窓枠フレームの下辺部１２ｂに嵌合して、前記ウェザーストリップ２０ａをウインドシールドガラス１１の下端部に確実に装着することができる。
【００２０】
このように、前述した窓枠フレームの下辺部１２ａと同様に、該窓枠フレームの下辺部１２ｂも上面が開口されていないので、塵埃や土泥が溜まるという不具合はない。また、溝型金具等の別部材を使用せず、窓枠フレームの下辺部１２ｂに直接ウェザーストリップ２０ａを装着して固定するので、構造が簡単であり且つウェザーストリップ２０ａの取付部分全体の上下方向の幅を小さくすることができる。
【００２１】
尚、本発明は、本発明の精神を逸脱しない限り種々の改変を為すことができ、そして、本発明が該改変されたものに及ぶことは当然である。
【００２２】
【発明の効果】
本発明は上記一実施の形態に詳述したように、請求項１記載の発明は、ウインドシールドガラスの下端部に沿って下面が開口された溝型フレームを固着するとともにこの溝型フレームにウェザーストリップを装着してあるので、ウインドシールドガラスの枠部分を可及的に小さくすることができる。また、ウェザーストリップを装着する溝型フレームは下面が開口されて上面は開口されていないため、溝型フレームに塵埃や土泥が溜まることがない。
斯くして、キャブ前方の視界を広げることができ、作業性を向上できるとともに安全の確保にも寄与できる。
【００２３】
請求項２記載の発明は、上記ウェザーストリップには、その一方の面に主リップが設けられ、他方の面に取付用リブを設けるとともに該取付用リブから所定間隔を有してガラス抑え用リップを設けてあり、該取付用リブを上記溝型フレームへ挿入してウェザーストリップを装着するように構成したので、請求項１記載の発明の効果に加えて、構造が簡単であり且つ装着作業も短縮されてコストダウンに寄与できる。
【００２４】
請求項３記載の発明は、上記ウェザーストリップの取付用リブには凹凸部を設けてあり、この凹凸部が上記溝型フレームの内側面に圧縮状態で接触するため、請求項１または２記載の発明の効果に加えて、ウェザーストリップをウインドシールドガラスの下端部に確実に装着することができる。
【００２５】
請求項４記載の発明は、上記ウェザーストリップの取付用リブには溝部を設けてあり、この溝部が上記溝型フレームの折曲部に嵌入するため、請求項３記載の発明と同様の効果を奏する。
【図面の簡単な説明】
【図１】本発明の一実施の形態を示し、上部ウインドシールドの正面図。
【図２】ウェザーストリップの取付部分の一例を示し、図１のＡ−Ａ線部分の断面図。
【図３】ウェザーストリップの取付部分の他の一例を示し、図１のＡ−Ａ線部分の断面図。
【図４】油圧ショベル等の建設機械に於ける一般的なキャブの斜視図。
【図５】従来のウェザーストリップの取付部分を示す断面図。
【符号の説明】
１        キャブ
３        上部ウインドシールド
６        天井部
７        下部ウインドシールド
１１        ウインドシールドガラス
１２        窓枠フレーム
１２ａ，１２ｂ    窓枠フレームの下辺部（溝型フレーム）
１３        折曲部
２０，２０ａ      ウェザーストリップ
２１，２１ａ      主リップ
２２，２２ａ      取付用リブ
２３，２３ａ      ガラス抑え用リップ
２４        凹凸部
２５        溝部
【図１】
2004168159.tif 000003
【図２】
2004168159.tif 000004
【図３】
2004168159.tif 000005
【図４】
2004168159.tif 000006
【図５】
2004168159.tif 000007